(57)【要約】      （修正有）【課題】軽量で構造が簡単で安価で作業性・施工性・メインテナンス性・止水性に優れ、且つ、広範囲に適用可能な浸水防止装置を開発・提供する。【解決手段】開口部の横幅寸法を、やや超える横幅寸法を有し、内部に止水部材を収納し、開口部の床面で開閉自在な上蓋を有する箱体と、該箱体の長手方向両側部に立設し、且つ、開口部の両側とそれぞれ固定する固定部材とを設け、浸水時には、該箱体内より引き出した前記止水部材の両端部を、前記固定部材に装着したそれぞれの密閉装置ＳＳで一時固定すると共に、前記止水部材の下部を、上蓋と箱体とで一時挟時固定するものである。【選択図】図７
0003147003.tif 000002
【実用新案登録請求の範囲】
【請求項１】
建物の一階入口や地下室への階段口等の開口部に設置し、高潮や洪水時における建物内部への侵入を防止する浸水防止装置において、前記開口部の横幅寸法を、やや超える横幅寸法（Ｐ１）を有し、内部に止水部材（８）を収納し、開口部の床面で開閉自在な上蓋（４）を有する箱体（１）と、該箱体（１）の長手方向両側部に立設し、且つ、開口部の両側とそれぞれ固定する固定部材（２）（２'）とを設け、浸水時には、該箱体（１）内より引き出した前記止水部材（８）の両端部を、前記固定部材（２）（２'）に装着したそれぞれの密閉装置（Ｓ）（Ｓ）で一時固定すると共に、前記止水部材（８）の下部を、上蓋（４）と箱体（１）とで一時挟時固定する事を特徴とする浸水防止装置。
【請求項２】
固定部材は、開口部の幅寸法に応じて長手方向の中間部にも支持部材（２"）を一又は複数本を立設し、浸水時に、該支持部材（２"）に一時固定する事を特徴とする請求項１記載の浸水防止装置。
【請求項３】
長尺止水部材（８'）の上端部及び下端部にウィンチ（ＷＩ）やリール（ＲＥ）等の自動巻き揚げ・巻き取り装置を設けた事を特徴とする請求項２記載の浸水防止装置。
【考案の詳細な説明】
【技術分野】
【０００１】
この考案は、建物の開口部や地下室の階段口等に設けて高潮や洪水時における建物内部や地下室等への浸水を防止する装置に関するものである。
【背景技術】
【０００２】
従来、一般に洪水等に備えて建物の開口部や地下室等への浸水を防止するに当たっては、主として気密性のあるパネルを支持枠に嵌め入れ、ある程度の高さを維持させていたのが通常であり、パネルと床面との接触部や支持枠への嵌め入れ部には土嚢等の防水部材を押し付ける等の処置を必要としていた。しかしながら、パネルを支持枠に支持させる作業や防水部材を押し付けるなどの処置に手数を要するばかりでなく、平常時のパネルの保管場所を必要とする不都合があった。
【０００３】
そこで、近年、地球温暖化の影響と考えられる大雨による浸水被害が全国的に多発し、社会問題化している。そこで、建物の開口部の床面や、地下室への階段口の床面に形成した蓋付きの収納溝に、上縁にパイプを備え、開口部や階段口の幅に応じた長さのシートを、予め折り畳んだ状態で格納しておき、必要に応じて収納溝の蓋を取り外してシートを引き上げ、パイプの両側を壁面に縦方向に設けた支持枠に固定する事により、開口部や階段口にシートを張設する装置が採用されていた。
【０００４】
しかしながら、上記従来例による場合、収納溝の蓋の解放や収納溝からシートの引き上げ、或いはパイプの両側の支持部への固定作業等に手数を要するばかりでなく、解放した蓋の保管場所を必要とするという欠点がある。
【０００５】
又、これまでの浸水防止装置はシール性に問題があり、又、コスト面でも高価なものが多い為、これらの問題を解決し、且つ、出来るだけ構造を簡素化して品質・性能・コスト面で優れた浸水防止装置の開発が望まれている。
【０００６】
これまでに出願されている浸水防止装置に関する特許文献を参考の為、紹介する。（特許文献１〜３参照。）
【特許文献１】特許第３７３８４３５号
【特許文献２】特開２０００−０９６５９５
【特許文献３】特開２００４−０６０４１２
【考案の開示】
【考案が解決しようとする課題】
【０００７】
そこで、上記課題を解決する為に、この考案は軽量で構造が簡単で安価で作業性・施工性・メインテナンス性・止水性に優れ、且つ、広範囲に適用可能な浸水防止装置を開発・提供する事にある。
【課題を解決するための手段】
【０００８】
この課題を解決する為の手段として、開口部の横幅寸法を、やや超える横幅寸法を有し、内部に止水部材を収納し、開口部の床面で開閉自在な上蓋を有する箱体と、該箱体の長手方向両側部に立設し、且つ、開口部の両側とそれぞれ固定する固定部材とを設け、浸水時には、該箱体内より引き出した前記止水部材の両端部を、前記固定部材に装着したそれぞれの密閉装置で一時固定すると共に、前記止水部材の下部を、上蓋と箱体とで一時挟時固定する事を特徴とする。又、固定部材は、開口部の幅寸法に応じて長手方向の中間部にも支持部材を一又は複数本を立設し、浸水時に、該支持部材に一時固定する事を特徴とする。又、長尺止水部材の上端部及び下端部にウィンチやリール等の自動巻き揚げ・巻き取り装置を設けた事を特徴とする。
【考案の効果】
【０００９】
この考案の効果として、開口部の横幅寸法を、やや超える横幅寸法を有し、内部に止水部材を収納し、開口部の床面で開閉自在な上蓋を有する箱体と、該箱体の長手方向両側部に立設し、且つ、開口部の両側とそれぞれ固定する固定部材とを設け、浸水時には、該箱体内より引き出した前記止水部材の両端部を、前記固定部材に装着したそれぞれの密閉装置で一時固定すると共に、前記止水部材の下部を、上蓋と箱体とで一時挟時固定し、又、固定部材は、開口部の幅寸法に応じて長手方向の中間部にも支持部材を一又は複数本を立設し、浸水時に、該支持部材に一時固定し、又、長尺止水部材の上端部及び下端部にウィンチやリール等の自動巻き揚げ・巻き取り装置を設けた事で、軽量で構造が簡単でコンパクトな為、床下と壁面の僅かなスペースに収納可能で、保管場所を必要とせず、短時間で容易に組立て出来、コスト的にも安価に製作可能な為、広範囲な市場に適用可能と成り、又、作業性・施工性・メインテナンス性が良く、漏水量は従来の１／２０と止水性に優れている為、使用者のみならず施工業者やサービス業者等にも有益なる効果を奏するものである。又、建物の長尺開口部に関しても、開口部の幅寸法に適合した複数の支持部材や自動巻き揚げ・巻き取り装置を使用者の要求仕様に応じて適用する事で更に満足のいける効果が得られる。
【考案を実施するための最良の形態】
【００１０】
この考案の最良の形態として、軟質ゴム板等の止水部材の材質・硬度はシール性や耐久性や作業性を考慮した最適な材質を選択し、且つ、止水部材を押圧して水の侵入を防止する押圧部の加工精度は特に注意を配って製作する事が重要である。
【実施例１】
【００１１】
そこで、この考案の一実施例を図１〜図６に基づいて詳述すると、建物の一階入口や地下室への階段口等の開口部に設置し、高潮や洪水時における建物内部への侵入を防止する浸水防止装置において、前記開口部の横幅寸法を、やや超える横幅寸法（Ｐ１）を有し、内部に止水部材（８）を収納し、開口部の床面で開閉自在な上蓋（４）を有する箱体（１）と、該箱体（１）の長手方向両側部に立設し、且つ、開口部の両側とそれぞれ固定する固定部材（２）（２'）とを設け、浸水時には、該箱体（１）内より引き出した前記止水部材（８）の両端部を、前記固定部材（２）（２'）に装着したそれぞれの密閉装置（Ｓ）（Ｓ）で一時固定すると共に、前記止水部材（８）の下部を、上蓋（４）と箱体（１）とで一時挟時固定する事を特徴とする浸水防止装置から構成される。
【００１２】
次に、この考案の構造について概要を説明すると、図１（Ａ）（Ｂ）に示す様に建物の開口部に適合し、周囲に補強部材を設け、且つ、上端部をコの字状に折り曲げて強度アップを図り、且つ、上面に取手穴（４ａ）と複数の水抜き用長穴（４ｂ）と干渉防止用Ｕ字状切欠（４ｃ）を有する上蓋（４）を設け、該上蓋（４）は蝶番（４ｄ）により上蓋（４）を開閉可能にすると同時に床下外壁面の密閉を可能にした箱体（１）を設け、且つ、該箱体の上面左右にコの字状に折り曲げ形成し、４か所の係止穴（２ａ）を有する固定部材（２）（２'）をそれぞれ設け、且つ、該固定部材の内側には押圧棒部材（５）が横ずれしない様に案内板を内面左右に設けた係止箱（３）（３'）をそれぞれ設け、且つ、該係止箱の外側面ほぼ中央の上下には固定用ハンドル（６）（６）と中間部にはＬ字状案内棒（７）をそれぞれ設けて作業性を良くしている。
【００１３】
次に、この考案の施工方法について説明すると、図７に示す様に建物の開口部の床下を掘削し、箱体の上面部が面一に成る様にしてコンクートで埋設し、且つ、開口部左右の柱に固定部材（２）を嵌着し、且つ、固定部材の係止穴（２ａ）部にポルト（Ｂ）・ナット（Ｎ）・ワッシャー（Ｗ）等の係止部材を挿着して浸水防止装置（Ｓ）を固定する。
【００１４】
そして、台風時等浸水時は、平常時箱体の中に丸めて収納されている止水部材（８）を箱体の中から取り出し、図４に示す様に止水部材の上端部に補強部材を係止部材で係止して補強する。そして、図６（Ｃ）に示す様に、建物の開口部の左右外壁面部に溶着した押圧板（３ａ）部に止水部材（８）をそれぞれ重合させ、且つ、止水部材の表面を押圧棒部材（５）で押圧し、固定用ハンドル（６）で確実に固着する。そして、更に図５に示す様に、箱体（１）の上蓋（４）を閉じて床下外壁面を押圧し、止水部材圧着用丸棒（１ａ）で挟着する事で建物の開口部の外壁面三方を密閉可能にし、雨水や海水（ＳＷ）等の水の浸入を防止するものである。
【実施例２】
【００１５】
その他の実施例として、開口部の横幅寸法が長尺寸法を有する時の浸水防止装置において、前記開口部の横幅寸法を、やや超える長尺横幅寸法（Ｐ１'）を有し、内部に長尺止水部材（８'）を収納し、開口部の床面で開閉自在な長尺上蓋（４'）を有する長尺箱体（１'）と、該長尺箱体（１'）の長手方向両側部に立設し、且つ、開口部の両側とそれぞれ固定する固定部材（２）（２'）と、開口部の中間部に立設して長尺止水部材（８'）を支持する複数の支持部材（２"）とを設け、浸水時には、該長尺箱体（１'）内より引き出した前記長尺止水部材（８'）の両端部を、前記固定部材（２）（２'）に装着したそれぞれの密閉装置（Ｓ）（Ｓ）で一時固定すると共に、前記長尺止水部材（８'）の下部を、長尺上蓋（４'）と長尺箱体（１'）とで一時挟時固定し、且つ、長尺止水部材（８'）の中間部を複数の支持部材（２"）で支持する事を特徴とする浸水防止装置から構成される。
【００１６】
又、長尺止水部材（８'）の上端部及び下端部にウィンチ（ＷＩ）やリール（ＲＥ）等の自動巻き揚げ・巻き取り装置を設けた事を特徴とする浸水防止装置から構成される。
【００１７】
図９（Ａ）（Ｂ）に示す様に、建物の開口部が長尺寸法時は長尺止水部材（８'）を使用する為、強度不足を解消する為に、開口部の寸法に合わせて複数の支持部材（２"）を設けて補強する。
【００１８】
又、複数個所に設けて長尺止水部材（８'）を支持する、上記支持部材（２"）の固定方法について詳述すると、図１０に示す様に支持部材下部の固定は、固定部材（２ｂ"）を地中に埋設し、その固定部材の係止穴（ネジ）部に回転式Ｌ金具付支持部材（２ａ"）の係止部（ネジ）を螺着して固定する。そして、支持部材上部は回転式Ｌ金具とＴ形長尺補強部材（８ａ'）を係止して固定する。
【００１９】
又、止水部材を押圧して密閉する上蓋の固定方法については、図１１（Ａ）に示す様に、アンカーボルト等の上蓋止金具（２２ａ"）を直接地中に埋設するか、又は、図１１（Ｂ）に示す様に、平板付上蓋止金具（２２ｂ"）で固定し、止金具の上端部を係止具（２２ｃ"）で固定して、上蓋が内圧によって開扉するのを防止する。
【００２０】
又、長尺止水部材（８'）使用の際、重量的に人力では持ち上げ・収納が不可能な時は、図１２に示す様に上端部に吊り具（ＨＴ）を係止してウィンチ（ＷＩ）等の自動又は手動式巻き揚げ装置で持ち上げ、又、収納する際は箱体内部にリール（ＲＥ）等の自動巻き取り装置を設けて自動的に巻き取ることも可能である。
【００２１】
又、長尺止水部材（８'）を押圧して水の侵入を防止する押圧棒部材の作動手段として電磁開閉装置を設置して自動制御する事も可能である。
【産業上の利用可能性】
【００２２】
この考案の浸水防止装置は、軽量で構造が簡単で安価で作業性・施工性・メインテナンス性・止水性に優れ、且つ、広範囲に適用可能にする事で多くの市場に寄与する為、産業上の利用可能性を有する。
【図面の簡単な説明】
【００２３】
【図１】この考案の一実施例を示し、（Ａ）は平面図で、（Ｂ）は正面図である。
【図２】この考案の一実施例を示し、一部欠截左側面図である。
【図３】この考案の一実施例を示し、図１（Ａ）のａ−ａ矢視断面図である。
【図４】この考案の一実施例を示し、図１（Ａ）のｂ−ｂ矢視断面図である。
【図５】この考案の一実施例を示し、図１（Ａ）のｃ−ｃ矢視断面図である。
【図６】この考案の一実施例を示し、（Ａ）は図１（Ａ）のｄ−ｄ矢視断面図で、（Ｂ）は図１（Ａ）のｅ−ｅ矢視断面図で、（Ｃ）は図１（Ａ）のｆ−ｆ矢視断面図である。
【図７】この考案の使用例を示し、正面図である。
【図８】この考案の使用例を示し、浸水防止状態時の断面図である。
【図９】この考案の使用例を示し、建物の開口部が長尺寸法時の（Ａ）は平面図で、（Ｂ）は正面図である。
【図１０】この考案の使用例を示し、建物の開口部が長尺寸法時に使用する支持部材の取付詳細を示す斜視図である。
【図１１】この考案の使用例を示し、上蓋固定方法を示す斜視図である。
【図１２】この考案の使用例を示し、建物の開口部が長尺寸法時に使用するウィンチやリールを使用時の長尺止水部材の自動巻き揚げ・巻き取り装置を示す断面図である。
【符号の説明】
【００２４】
１  箱体
１'  長尺箱体
１ａ  止水部材圧着用丸棒
２  固定部材
２'   固定部材
２ａ  係止穴
２ａ'  係止穴
２"   支持部材
２ａ"   回転式Ｌ金具付支持部材
２ｂ"   固定部材
２２ａ"  上蓋止金具
２２ｂ"  平板付上蓋止金具
２２ｃ"  係止具
３  係止箱（左）
３'  係止箱（右）
３ａ  押圧板（左）
３ａ'  押圧板（右）
４  上蓋
４'  長尺上蓋
４ａ  取手穴
４ｂ  長穴
４ｃ  Ｕ字状切欠
４ｄ  蝶番
５  押圧棒部材
６  固定用ハンドル
７  Ｌ字状案内棒
８  止水部材
８'   長尺止水部材
８ａ  補強部材
８ａ'  Ｔ形長尺補強部材
８ａ"  係止穴
Ｂ  ボルト
ＦＬ  床面
ＨＴ  吊り具
Ｎ  ナット
Ｐ１  開口部横幅寸法
Ｐ１'   長尺開口部横幅寸法
Ｐ２  止水部材の横幅寸法
Ｐ２'   長尺止水部材の横幅寸法
ＲＥ  リール
Ｓ  浸水防止装置
Ｓ'   長尺浸水防止装置
ＳＳ  密閉装置
ＳＳ'  密閉装置
ＳＷ  海水
Ｗ  ワッシャー
ＷＩ  ウィンチ
【図１】
0003147003.tif 000003
【図２】
0003147003.tif 000004
【図３】
0003147003.tif 000005
【図４】
0003147003.tif 000006
【図５】
0003147003.tif 000007
【図６】
0003147003.tif 000008
【図７】
0003147003.tif 000009
【図８】
0003147003.tif 000010
【図９】
0003147003.tif 000011
【図１０】
0003147003.tif 000012
【図１１】
0003147003.tif 000013
【図１２】
0003147003.tif 000014